(57)【要約】【課題】第１の受電系統と第２の受電系統を有し、第１の受電系統と第２の受電系統のうち一方の系統のスイッチギヤを交換する場合に、他方の系統の受電側及び負荷給電側のスイッチギヤを分解することなく行う。【解決手段】第１の受電スイッチギヤ８と第１の負荷給電スイッチギヤ１０を、ＶＣＴ用スイッチギヤ１２を介して互いに隣接して配置すると共に、第２の受電スイッチギヤ９と第２の負荷給電スイッチギヤ１１を互いに隣接して配置する。【選択図】図２
2014204650.tif 000002
【特許請求の範囲】
【請求項１】
第１の受電系統と第２の受電系統から受電し、第１の負荷系統と第２の負荷系統に給電する受配電設備において、
前記第１の受電系統に接続される第１の受電スイッチギヤと、
前記第２の受電系統に接続される第２の受電スイッチギヤと、
前記第１の負荷系統に接続される第１の負荷給電スイッチギヤと、
前記第２の負荷系統に接続される第２の負荷給電スイッチギヤと、
を備え、
前記第１の受電スイッチギヤと前記第１の負荷給電スイッチギヤを、ＶＣＴ用スイッチギヤを介して互いに隣接して配置すると共に、前記第２の受電スイッチギヤと前記第２の負荷給電スイッチギヤを互いに隣接して配置したことを特徴とする受配電設備。
【請求項２】
前記第１の受電スイッチギヤの前記第１の受電系統に接続される側と反対側出口に設置された第１の断路器と、
前記第２の受電スイッチギヤの前記第２の受電系統に接続される側と反対側出口に設置された第２の断路器と、
前記第１の断路器と前記第２の断路器とを接続する第１のバイパス線と、
前記第１の負荷給電スイッチギヤの前記第１の負荷系統に接続される側と反対側出口に設置された第３の断路器と、
前記第２の負荷給電スイッチギヤの前記第２の負荷系統に接続される側と反対側出口に設置された第４の断路器と、
前記第３の断路器と前記第４の断路器とを接続する第２のバイパス線と、
を備えたことを特徴とする請求項１に記載の受配電設備。
【請求項３】
前記第２の受電スイッチギヤと前記第２の負荷給電スイッチギヤとの相互間を絶縁母線で接続すると共に、前記絶縁母線に貫通型変流器を装着したことを特徴とする請求項１又は２に記載の受配電設備。
【発明の詳細な説明】
【技術分野】
【０００１】
この発明は、受配電設備に係り、特に、第１の受電系統と第２の受電系統から受電し、第１の負荷系統と第２の負荷系統に給電する受配電設備に関するものである。
【背景技術】
【０００２】
従来、例えば特開平７−３９０２５号公報（特許文献１）においては、一対の特別高圧受電開閉装置の間にＰＣＴ盤が設けられ、前記特別高圧受電開閉装置に接続された降圧変圧器と、この降圧変圧器の二次側に接続された高圧配電開閉装置が設けられた集合形受変電設備が開示されている。この特許文献１に開示された集合形受変電設備は、特別高圧受電開閉装置の前端片側に所内交流電源装置を設け、特別高圧受電開閉装置の前端他側に所内直流電源装置を設け、特別高圧受電開閉装置、ＰＣＴ盤、高圧配電開閉装置及び所内交流電源装置並びに所内直流電源装置を載置する基礎ベースの内側に低圧配線箱を形成するもので、これにより各箱体を前面から保守・点検し、制御ケーブル用のピットも不要としたのである。そして、この構成を採用することにより、据付面積を減らし、据付工期も短縮することのできる集合形受変電設備が得られる特徴を有している。
【先行技術文献】
【特許文献】
【０００３】
【特許文献１】特開平７−３９０２５号公報（段落００３５、及び図３）
【発明の概要】
【発明が解決しようとする課題】
【０００４】
しかし、前記特許文献１に開示された集合形受変電設備においては、各系統に対応する遮断器や断路器などを含む受電スイッチギヤと負荷給電スイッチギヤが、互いに隣接して配置される構成となっておらず、各スイッチギヤの交換時には受変電設備を停電させて工事を行う必要がある。
【０００５】
この発明は、前記の課題に鑑みてなされたもので、第１の受電系統と第２の受電系統を有し、第１の受電系統と第２の受電系統のうち一方の系統のスイッチギヤを交換する場合に、他方の系統の受電側及び負荷給電側のスイッチギヤを分解することなく行うことを可能とする受配電設備を提供するものである。
【課題を解決するための手段】
【０００６】
この発明による受配電設備は、第１の受電系統と第２の受電系統から受電し、第１の負荷系統と第２の負荷系統に給電する受配電設備において、前記第１の受電系統に接続される第１の受電スイッチギヤと、前記第２の受電系統に接続される第２の受電スイッチギヤと、前記第１の負荷系統に接続される第１の負荷給電スイッチギヤと、前記第２の負荷系統に接続される第２の負荷給電スイッチギヤと、を備え、
前記第１の受電スイッチギヤと前記第１の負荷給電スイッチギヤを、ＶＣＴ用スイッチギヤを介して互いに隣接して配置すると共に、前記第２の受電スイッチギヤと前記第２の負荷給電スイッチギヤを互いに隣接して配置したものである。
【発明の効果】
【０００７】
この発明による受配電設備によれば、２つの系統のうち一方の系統のスイッチギヤを交換する場合に、各系統の受電側及び負荷給電側のスイッチギヤが互いに隣接して配置されているため、他方の系統の受電側及び負荷給電側のスイッチギヤを分解停電することなくスイッチギヤの交換が可能となる。
【図面の簡単な説明】
【０００８】
【図１】第１の受電系統と第２の受電系統を有する２回線の受電系統からなる受配電設備の回路構成を示す単線接続図である。
【図２】この発明の実施の形態１によるガス絶縁開閉装置の配置構成を示す単線接続図である。
【図３】この発明の実施の形態２によるガス絶縁開閉装置の配置構成を示す単線接続図である。
【図４】この発明の実施の形態２によるガス絶縁開閉装置に使用される貫通型変流器の外観を示す斜視図である。
【発明を実施するための形態】
【０００９】
以下、この発明による受配電設備の好適な実施の形態について図面を参照して説明する。
【００１０】
実施の形態１．
図１は、この発明の実施の形態１による受配電設備の回路構成を示し、第１の受電系統と第２の受電系統を有する２回線の受電系統からなる受配電設備の回路構成を示す単線接続図である。
図１において、受配電設備１は、図１の左上側の第１の受電系統２と右上側の第２の受電系統３からなる２回線で受電している。また、図１の左下側の第１の負荷系統４は、第１の変圧器５を介して第１の負荷（図示せず）に給電し、図１の右下側の第２の負荷系統６は、第２の変圧器７を介して第２の負荷（図示せず）に給電している。
【００１１】
図１に示す受配電設備は５つの区画に分割されており、それぞれ第１の受電スイッチギヤ８、第２の受電スイッチギヤ９、第１の負荷給電スイッチギヤ１０、第２の負荷給電スイッチギヤ１１、第１の受電スイッチギヤ８と第１の負荷給電スイッチギヤ１０との間に配置したＶＣＴ（Voltage and Current Transformer）用スイッチギヤ１２に区画されている。そして、これらの各スイッチギヤ８、９、１０、１１、１２はそれぞれ独立した筐体に区画されている。また、第１の受電スイッチギヤ８、第２の受電スイッチギヤ９、第１の負荷給電スイッチギヤ１０、第２の負荷給電スイッチギヤ１１には、それぞれ第１の断路器１３、第２の断路器１４、第３の断路器１５、第４の断路器１６が設置されている。なお、これらの各筐体は、通常の配電盤と称される気中絶縁の盤でもよいし、タンク内部に絶縁ガスを封入したガス絶縁形のスイッチギヤでもよい。
【００１２】
図２は、実施の形態１によるガス絶縁開閉装置の配置構成を示す図で、図１の回路構成を適用した単線接続図である。
図２に示すように、実施の形態１によるガス絶縁開閉装置は、ＶＣＴ用スイッチギヤ１２に隣接して第１の受電スイッチギヤ８と第１の負荷給電スイッチギヤ１０が配置されると共に、第２の受電スイッチギヤ９と第２の負荷給電スイッチギヤ１１が互いに隣接して配置されている。
【００１３】
また、第１の受電スイッチギヤ８、第２の受電スイッチギヤ９、第１の負荷給電スイッチギヤ１０、第２の負荷給電スイッチギヤ１１は、主回路の上部出口近くに、それぞれ第１の断路器１３、第２の断路器１４、第３の断路器１５、第４の断路器１６が設置されており、第１の断路器１３と第２の断路器１４を固体絶縁母線である第１のバイパス線１７で接続している。また、第３の断路器１５と第４の断路器１６を固体絶縁母線である第２のバイパス線１８で接続している。
【００１４】
実施の形態１による受配電設備１は前記のように構成されており、第２の受電スイッチギヤ９、第２の負荷給電スイッチギヤ１１を交換する場合には、第１の断路器１３、第３の断路器１５を開くことで第２の受電スイッチギヤ９、第２の負荷給電スイッチギヤ１１は停電状態となり、さらに第２の受電スイッチギヤ９、第２の負荷給電スイッチギヤ１１は互いに隣接して配置されているため、第１の受電スイッチギヤ８、第１の負荷給電スイッチギヤ１０の運転を停止することなく、安全に交換作業を行なうことができる。
【００１５】
以上のように、実施の形態１による受配電設備１によれば、第１の受電系統２と第２の受電系統３の受電スイッチギヤ８、９と、負荷給電スイッチギヤ１０、１１が互いに隣接して配置されているため、２つの系統のうち一方の系統のスイッチギヤを交換する場合に、他方の系統の受電及び負荷給電スイッチギヤを分解することなくスイッチギヤの交換が可能となる。なお、実施の形態１の各スイッチギヤは通常の配電盤と称される気中絶縁の盤でもよいし、タンクの内部に絶縁ガスを封入したガス絶縁形のスイッチギヤでもよい。
【００１６】
実施の形態２．
次に、この発明の実施の形態２による受配電設備について説明する。図３は、実施の形態２による受配電設備としてガス絶縁開閉装置の配置構成を示す図である。
図３において、実施の形態２によるガス絶縁開閉装置１の第１の受電スイッチギヤ８、第２の受電スイッチギヤ９、第１の負荷給電スイッチギヤ１０、第２の負荷給電スイッチギヤ１１には、実施の形態１と同様に、それぞれ第１の断路器１３、第２の断路器１４、第３の断路器１５、第４の断路器１６が設置されている。なお、これらの各筐体は、タンク内部に絶縁ガスを封入したガス絶縁形のスイッチギヤとして構成されている。
【００１７】
また、図３において、符号１９は、第２の受電スイッチギヤ９と第２の負荷給電スイッチギヤ１１との相互間を接続する絶縁母線、例えば固体絶縁母線を示し、符号２０は、固体絶縁母線１９に装着される貫通型変流器を示している。なお、従来においては、第２の受電スイッチギヤ９と第２の負荷給電スイッチギヤ１１との相互間の接続は、第２の受電スイッチギヤ９と第２の負荷給電スイッチギヤ１１の側部壁面を貫通した水平母線で接続し、これをタンク内において絶縁ガスにて絶縁する構造であるため、変流器を配置する箇所に専用のタンクをは配置する必要があった。
【００１８】
貫通型変流器２０は、図４にその斜視図を示すように、中央部に貫通孔２１を有すると共に、外周部に２次端子２２が設けられている。そして、この貫通孔２１は、第２の受電スイッチギヤ９と第２の負荷給電スイッチギヤ１１のそれぞれの対向する側部壁面に凹部を形成し、この凹部内に貫通型変流器２０を収納することで、貫通型変流器２０の厚さ分だけガス絶縁開閉装置１の幅が増加することを防止している。なお、前記凹部は、第２の受電スイッチギヤ９と第２の負荷給電スイッチギヤ１１の対向する側部壁面の何れか一方の側部壁面に形成してもよい。また、その他の構成は実施の形態１と同様であり、同一符号を付すことにより説明を省略する。
【００１９】
実施の形態２によるガス絶縁開閉装置１は前記のように構成されており、実施の形態１と同様の効果を得ると共に、第２の受電スイッチギヤ９と第２の負荷給電スイッチギヤ１１との相互間を固体絶縁母線１９で接続し、固体絶縁母線１９に貫通型変流器２０を装着したので、変流器専用のスイッチギヤを省略することができ、ガス絶縁開閉装置１を小型化することができる。
【００２０】
以上、この発明の実施の形態１及び２による受配電設備について説明したが、この発明は、その発明の範囲内において、各実施の形態を自由に組み合わせたり、各実施の形態を適宜、変形、省略することが可能である。
【符号の説明】
【００２１】
１  受配電設備（ガス絶縁開閉装置）、２  第１の受電系統、３  第２の受電系統、４  第１の負荷系統、５  第１の変圧器、６  第２の負荷系統、７  第２の変圧器、８  第１の受電スイッチギヤ、９  第２の受電スイッチギヤ、１０  第１の負荷給電スイッチギヤ、１１  第２の負荷給電スイッチギヤ、１２  ＶＣＴ用スイッチギヤ、１３  第１の断路器、１４  第２の断路器、１５  第３の断路器、１６  弟４の断路器、１７  第１のバイパス線（固体絶縁母線）、１８  第２のバイパス線（固体絶縁母線）、１９  固体絶縁母線、２０  貫通型変流器、２１  貫通孔、２２  ２次端子。
【図１】
2014204650.tif 000003
【図２】
2014204650.tif 000004
【図３】
2014204650.tif 000005
【図４】
2014204650.tif 000006